(57)【要約】【課題】室外側のハンドルだけをロックして室内側からの開閉操作は自由で、更に、操作部が露出せず、幼児に充分に対応可能で、加えて施錠および解錠操作も容易で解錠する際にコインやドライバーなどの操作具を必要としない。【解決手段】互いに係脱可能な係合突起７１と係合突片７２とが、プッシュハンドル１またはプルハンドル２の裏面とプッシュハンドル１側の取付座４の表面またはプルハンドル２側の取付座５の表面とにそれぞれ配置され、係合突起７１または係合突片７２を移動させて係合突片７２または係合突起７１と係合させたときにプッシュハンドル１またはプルハンドル２の開閉動作が規制され、係合突起７１と係合突片７２とを元の位置に移動させて係合状態を解除することによりプッシュハンドル１またはプルハンドル２の開閉動作の規制が解除されるチャイルドロック装置７を設けた。【選択図】        図１
2004218190.tif 000002
【特許請求の範囲】
【請求項１】
扉の内外壁面に取付座を介して取り付けられるプッシュハンドルまたはプルハンドルと、前記扉の縦框に開口した埋込溝に配置されて前記各プッシュプルハンドルの開閉操作によりラッチが出没して施解錠する錠本体とを有するプッシュプル錠において、互いに係脱可能な係合突起と係合突片とが、前記プッシュハンドルまたはプルハンドルの裏面と前記プッシュハンドル側の取付座の表面またはプルハンドル側の取付座の表面とにそれぞれ配置され、前記係合突起または係合突片を移動させて係合突片または係合突起と係合させたときに前記プッシュハンドルまたはプルハンドルの開閉動作が規制され、前記係合突起と係合突片とを元の位置に移動させて係合状態を解除することにより前記プッシュハンドルまたはプルハンドルの開閉動作の規制が解除されるチャイルドロック装置を設けたことを特徴とするチャイルドロック装置付きプッシュプル錠。
【請求項２】
前記係合突起がプッシュハンドルの裏面または前記プッシュハンドル側の取付座の表面に沿って移動可能に配置されているとともに、前記係合突起が前記プッシュハンドル側の取付座またはプッシュハンドルの裏面に配置した係合突起位置に移動したとき前記係合突起と係合突片とが当接してプッシュハンドルの閉動作を阻止する請求項１記載のチャイルドロック装置付きプッシュプル錠。
【請求項３】
前記係合突起がプルハンドルの裏面または前記プルハンドル側の取付座の表面に沿って移動可能に配置されているとともに、前記係合突起が前記プルハンドル側の取付座またはプルハンドルの裏面に配置した係合突起位置に移動したとき前記係合突起に形成した係合溝に前記係合突片に形成した係止鉤部が掛止してプッシュハンドルの開動作を阻止する請求項１記載のチャイルドロック装置付きプッシュプル錠。
【発明の詳細な説明】
【０００１】
【発明の属する技術分野】
本発明は、チャイルドロック装置付きプッシュプル錠に関するものである。
【０００２】
【従来の技術】
従来、玄関などにおいて扉の開閉を押しまたは引くだけの操作でラッチをストライクから出没可能なプッシュプル錠が回転式のハンドル錠に代わって用いられており、更に、このプッシュプル錠は浴室などの室内の扉にも用いられるようになってきている。
【０００３】
そして、浴室などの扉は幼児が一人で開放して浴室内に入り誤って浴槽に転落する事故が生じる心配があることから室外側からのプッシまたはプルハンドルによるラッチの開放を防止するためのロック機構を作動させるためのロック操作部を設ける必要がある。
【０００４】
ところが、従来の室外側から施錠するロック機構は、室外側からロックすると室内側から解錠することができず、室内に人がいる場合には閉じ込められてしまうことになる。また、通常、ロック機構の操作部がハンドルの周辺に設けられているので、幼児が容易に確認して非常解除操作部を操作することにより扉を開いて室内に入ってしまう。更に、押釦錠のように室内側から施錠するものにあっては、解錠する際にコインやドライバーなどが必要であり、使い勝手が悪い。
【０００５】
【発明が解決しようとする課題】
本発明はこのような実情に鑑みてなされたものであり、室外側のハンドルだけをロックして室内側からの開閉操作は自由で、更に、操作部が露出せず、幼児に充分に対応可能で、加えて施錠および解錠操作も容易で解錠する際にコインやドライバーなどの操作具を必要としないチャイルドロック装置付きプッシュプル錠を提供するものである。
【０００６】
【課題を解決するための手段】
そこで、本発明は、扉の内外壁面に取付座を介して取り付けられるプッシュハンドルまたはプルハンドルと、前記扉の縦框に開口した埋込溝に配置されて前記各プッシュプルハンドルの開閉操作によりラッチが出没して施解錠する錠本体とを有するプッシュプル錠において、互いに係脱可能な係合突起と係合突片とが、前記プッシュハンドルまたはプルハンドルの裏面と前記プッシュハンドル側の取付座の表面またはプルハンドル側の取付座の表面とにそれぞれ配置され、前記係合突起または係合突片を移動させて係合突片または係合突起と係合させたときに前記プッシュハンドルまたはプルハンドルの開閉動作が規制され、前記係合突起と係合突片とを元の位置に移動させて係合状態を解除することにより前記プッシュハンドルまたはプルハンドルの開閉動作の規制が解除されるチャイルドロック装置を設けた。
【０００７】
また、前記係合突起がプッシュハンドルの裏面または前記プッシュハンドル側の取付座の表面に沿って移動可能に配置されているとともに、前記係合突起が前記プッシュハンドル側の取付座またはプッシュハンドルの裏面に配置した係合突起位置に移動したとき前記係合突起と係合突片とが当接してプッシュハンドルの閉動作を阻止する構成、更には、前記係合突起がプルハンドルの裏面または前記プルハンドル側の取付座の表面に沿って移動可能に配置されているとともに、前記係合突起が前記プルハンドル側の取付座またはプルハンドルの裏面に配置した係合突起位置に移動したとき前記係合突起に形成した係合溝に前記係合突片に形成した係止鉤部が掛止してプッシュハンドルの開動作を阻止する構成とすることにより、容易且つ確実に施解錠を行うことができる。
【０００８】
【発明の実施の形態】
次に、本発明の実施の形態を図面に基づいて説明する。
【０００９】
図１乃至図３は、室外側にプッシュハンドル１を、室内側にプルハンドル２を配置した場合の本発明の実施の形態の一例を示すものであり、プッシュハンドル１およびプルハンドル２はそれぞれ硬質合成樹脂製の板状に形成され、室内側へと開放する扉３の外壁面３１と内壁面３２とにそれぞれ配置した金属製または硬質合成樹脂製の取付座本体４１，５１と硬質の合成樹脂製のカバー４２，５２とからそれぞれ構成される取付座４，５に蝶着されている。
【００１０】
更に、詳しく説明すると、プッシュハンドル１およびプルハンドル２は、取付座本体４１，５１にそれぞれ上下方向に設けられた蝶着軸４３，５３に硬質合成樹脂製のプッシュハンドル固定部材１１およびプルハンドル固定部材１２を介して軸着されている。
【００１１】
また、蝶着軸４３，５３には、扉３の縦框３３に形成された掘込溝３４内に突出したプッシュアーム４４およびプルアーム５４が軸着されており、これらのプッシュアーム４４およびプルアーム５４が前記縦框３３に沿って掘込溝３４に取り付けた錠本体６に収装されたラッチボルト６１に係合している。
【００１２】
そして、プッシュハンドル１を押すか、またはびプルハンドル２を引くと、プッシュハンドル固定部材１１またはプルハンドル固定部材１２を介してプッシュアーム４４またはプルアーム５４が復帰バネ４５，５５の付勢力に抗して回動し、ラッチボルト６１を引いてラッチ６２を前板６３から没入させて扉枠に取り付けたストライク（図示せず）から後退して施錠状態を解除して扉を開閉できるものである。
【００１３】
特に、本実施の形態では、前記プッシュハンドル１の裏面に硬質合成樹脂により形成された角形の係合突起７１がプッシュハンドル１の上下方向に移動可能に配置されているとともに、プッシュハンドル１側の取付座４におけるカバー４２には所定位置に係合突片７２が突設されており、これらの係合突起７１と係合突片７２とでチャイルドロック装置７が形成される。
【００１４】
このチャイルドロック装置７は、通常は、プッシュハンドル１の裏面に配置した係合突起７１を図２に示すように、係合突片７２と係合しない位置に配置させておくことにより、プッシュハンドル１を押すことを可能として開閉動作を行う。そして、チャイルドロック装置７を作動させるには、図３に示すように、プッシュハンドル１の裏面に配置した係合突起７１を上方へ移動させて係合突片７２の位置に配置しておけばよく、この場合には、幼児等がプッシュハンドル１を押しても係合突起７１が係合突片７２に当接してプッシュハンドル１の動きを規制するのでラッチ６２を操作することができない。
【００１５】
また、係合突起７１を元の図２に示す係合突片７２と係合しない位置に復帰させれば、チャイルドロック装置７を解除状態に復帰させることができる。
【００１６】
このように、本実施の形態では、室外側のプッシュハンドル１だけをロックして室内側からプルハンドル２による開閉操作は自由であり、更に、チャイルドロック装置７を操作するための係合突起７１はプッシュハンドル１の裏面に配置されているのでプッシュハンドル１や取付座４などの表面に露出していないので幼児などに気付かれる心配がなく、施錠ならびに解錠操作も係合突起７１を施錠位置ならびに解錠位置に僅かに移動させるだけでよくきわめて簡単であるとともに特別な操作具も要さない。
【００１７】
尚、図面中、符号８はプッシュハンドル１とプッシュハンドル固定部材１１とを、およびプルハンドル２とプルハンドル固定部材１２とをそれぞれ固定するための止めネジ、符号９はプッシュハンドル１およびプルハンドル２を室内側から施解錠するロック装置である。
【００１８】
また、図４乃至図６は本発明の異なる実施の形態を示すものであり、全体の構成ならびに作用などは前記図１乃至図３に示した実施の形態とほぼ同様であるが、チャイルドロック装置７がプッシュハンドル１側の取付座４のカバー４２に移動可能に配置された係合突起７１とプッシュハンドル１における裏面の所定位置に形成された係合突片７２とから構成される点が異なる。
【００１９】
従って、本実施の形態と異なり、プッシュハンドルが板状でなく、棒状など係合突起を移動可能に配置しにくい型の場合にも採用が容易である。
【００２０】
更に、図７乃至９は本発明の更に異なる実施の形態を示すものであり、前記実施の形態と異なり、室外側にプルハンドル２を、室内側にプッシュハンドル１を配置した扉３が室外側に開放する場合についての本発明を実施した点が異なる。
【００２１】
本実施の形態は、プッシュプル錠の機構や作用そのものについてはプルハンドル２を室外側に配置しプッシュハンドル１を室内側に配置した以外は機構的に同様であるので同一構成要素には同一符号を付して詳細な説明を省略するが、特に、チャイルドロック装置７を形成するプルハンドル２の裏面に上下方向に移動可能に配置した係合突起７１は、その頂面に取付座５のカバー５２面に沿う方向へ延びる嵌合溝７３が形成されているとともに、カバー５２面に突設された係合突片７２の先端が下方に向けて鉤形に形成されて前記嵌合溝７３に嵌合する嵌合片７４が形成されている。
【００２２】
従って、このチャイルドロック装置７は、通常は、図７に示すように、プッシュハンドル１の裏面に配置した係合突起７１を係合突片７２と係合しない位置に配置させておくことにより、プルハンドル２を引くことを可能として開閉動作を行う。そして、チャイルドロック装置７を作動させるには、図８に示すように、プルハンドル２の裏面に配置した係合突起７１を上方へ移動させて嵌合溝７３に係合突片７２の嵌合片７４を嵌合させることにより、係合突起７１と係合突片７２とが連結させる。そのため、幼児等がプルハンドル２を引いてもプルハンドル２が取付座５に係合しているので引くことができず、ラッチ６２を操作することができない。
【００２３】
更にまた、図１０乃至１２は前記実施の形態とは更に異なる発明の実施の形態を示すものであり、チャイルドロック装置７がプルハンドル２側の取付座５のカバー５２に移動可能に配置された係合突起７１とプルハンドル２における裏面の所定位置に形成された係合突片７２とから構成される点が異なる。
【００２４】
従って、本実施の形態と異なり、プルハンドルが板状でなく、棒状など係合突起を移動可能に配置しにくい型の場合にも採用が容易である。
【００２５】
尚、上述の実施の形態はいずれも、チャイルドロック装置７の係合突起７１と係合突片７２との係脱が、係合突起７１を上下方向に移動させることにより行われる構造としたが、係合突起７１の移動方向はこれに限らず、例えば係合突起７１が左右方向に移動することにより係合突片７２と係脱する構造であってもよい。
【００２６】
【発明の効果】
以上のように本発明によると、室外側のハンドルだけをロックして室内側からの開閉操作が自由で、更に、操作部が露出せず、幼児に充分に対応可能で、加えて施錠および解錠操作も容易で解錠する際にコインやドライバーなどの操作具を必要としないチャイルドロック装置付きプッシュプル錠を提供するものである。
【図面の簡単な説明】
【図１】プッシュハンドルについて本発明を実施した場合の実施の形態の一例を示す縦断面図。
【図２】図１のＡ−Ａ線に沿う断面図。
【図３】図１の異なる状態を示す部分図。
【図４】プッシュハンドルについて本発明を実施した場合における異なる実施の形態の一例を示す縦断面図。
【図５】図４のＢ−Ｂ線に沿う断面図。
【図６】図４の異なる状態を示す部分図。
【図７】プルハンドルについて本発明を実施した場合における実施の形態の一例を示す縦断面図。
【図８】図７のＣ−Ｃ線に沿う断面図。
【図９】図７の異なる状態を示す部分図。
【図１０】プルハンドルについて本発明を実施した場合の異なる実施の形態の一例を示す縦断面図。
【図１１】図１０のＤ−Ｄ線に沿う断面図。
【図１２】図１０の異なる状態を示す部分図。
【符号の説明】
１  プッシュハンドル、２  プルハンドル、３  扉、４  取付座、５  取付座、６  錠本体、７  チャイルドロック装置、７１  係合突起、７２  係合突片、６２  ラッチ、
【図１】
2004218190.tif 000003
【図２】
2004218190.tif 000004
【図３】
2004218190.tif 000005
【図４】
2004218190.tif 000006
【図５】
2004218190.tif 000007
【図６】
2004218190.tif 000008
【図７】
2004218190.tif 000009
【図８】
2004218190.tif 000010
【図９】
2004218190.tif 000011
【図１０】
2004218190.tif 000012
【図１１】
2004218190.tif 000013
【図１２】
2004218190.tif 000014